(57)【要約】      （修正有）【課題】低コストで耐久性に優れた複合漉し器ポットを提供する。【解決手段】基部１０と、基部１０上に装着された容器２０と、基部１０と容器２０とを結合する接続皿３０と、容器２０内に装着されたフィルター組立体４０と、基部１０と容器２０との間に装着されたバルブ組立体５０とを備え、容器２０は、品質と寿命を保つためにガラス製であり、基部１０はコストを削減するためにプラスチック製である。【選択図】図２
0003145712.tif 000002
【実用新案登録請求の範囲】
【請求項１】
基部と、前記基部上に装着された容器と、前記基部と前記容器とを結合する接続皿と、前記容器内に装着されたフィルター組立体と、前記基部と前記容器との間に装着されたバルブ組立体とを備えた、複合漉し器ポットであって、
前記基部は上部リングと、外部壁と、内部壁と、バルブ台座とを有し、
前記上部リングは外縁、内縁、下面、及び上面を有し、
前記外部壁は前記上部リングの前記外縁に沿って上部リングの前記下面に形成され、末端を有し、
前記内部壁は前記上部リングの内縁に沿って上部リングの下面に横方向に形成され、接続リングとじょうご状の底とを有し、
前記接続リングは前記上部リングの前記内縁に沿って形成され、内面と末端とを有し、前記じょうご状の底は前記接続リングの前記末端に沿って形成され、下に行くほど径が狭くなり、内縁と前記じょうご状底を貫通して形成された装着孔とを有し、
前記バルブ台座は前記内部壁の前記じょうご状底の前記内縁に沿って装着され、前記バルブ台座は貫通して形成された貫通孔を有し、
前記容器は基部の上部リングの上面上に装着され、開放上部と、基部の上部リングの上面に対応し、この上面上に装着される円形底と、前記円形底を貫通して形成された装着孔とを有し、
前記接続皿は容器内で円形底上に装着され、前記基部の内部壁の接続リングに取付けられ、装着リングと接続リングとを有し、
前記装着リングは容器の前記円形底上に装着され、内縁を有し、
前記接続リングは前記装着リングの内縁に沿って横方向に形成され、
前記接続リングは前記基部の内部壁の接続リングの内面と係合する外面を有し、
前記フィルター組立体は容器内で接続皿上に装着され、
前記バルブ組立体は基部内に装着され、栓とバルブディスクとを有し、
前記栓は基部の内部壁のじょうご状の底上に装着され、基部のバルブ台座の貫通孔を塞ぐことができ、
前記バルブディスクは基部の外部壁の末端間に装着され、ロッドと複数の流出口とを有し、
前記ロッドはバルブディスクから突出形成され、基部のバルブ台座の貫通孔内に装入されて、栓を押すことが可能であり、
前記複数の流出口はバルブディスクを貫通して間隔をあけて形成され、前記ロッドの周りに配置されている複合漉し器ポット。
【請求項２】
前記容器は、前記容器の前記円形底上に装着される円形のワッシャーを更に有する請求項１に記載の複合漉し器ポット。
【請求項３】
前記ワッシャーは、円形外壁と、前記円形外壁に形成され、前記容器の前記円形底が装入される保持凹部とを有する請求項２に記載の複合漉し器ポット。
【請求項４】
前記基部の前記内部壁の前記接続リングの内面と、前記接続皿の前記接続リングの外面とは、ねじが切られている請求項１〜３のいずれかに記載の複合漉し器ポット。
【請求項５】
前記基部はプラスチック製であり、前記基部の前記バルブ台座と前記バルブ組立体の前記栓とはゴム製であり、前記容器はガラス製である請求項１〜３のいずれかに記載の複合漉し器ポット。
【請求項６】
前記基部はプラスチック製であり、前記基部の前記バルブ台座と前記バルブ組立体の前記栓とはゴム製であり、前記容器はガラス製である請求項４に記載の複合漉し器ポット。
【請求項７】
前記基部は、前記外部壁と前記内部壁との間の前記上部リングの前記下面に形成され、複数のスロットを有する制限壁であって、前記複数のスロットは間隔をあけて形成されている制限壁を更に有し、
前記バルブ組立体の前記バルブディスクは、前記バルブディスク上で前記流出口の周りに形成され、前記基部の前記制限壁に隣接して装着され、前記制限壁に対応する係合面を有する円形の壁と、
前記円形の壁の前記係合面上に間隔をあけて形成され、それぞれ前記基部の前記制限壁の前記複数のスロットに対応し、その中に装入される複数の制限突起と
を更に有する請求項１〜３のいずれかに記載の複合漉し器ポット。
【請求項８】
前記基部は、前記外部壁と前記内部壁との間の前記上部リングの前記下面に形成され、複数のスロットを有する制限壁であって、前記複数のスロットは間隔をあけて形成されている制限壁を更に有し、
前記バルブ組立体の前記バルブディスクは、前記バルブディスク上で前記流出口の周りに形成され、前記基部の前記制限壁に隣接して装着され、前記制限壁に対応する係合面を有する円形の壁と、
前記円形の壁の前記係合面上に間隔をあけて形成され、それぞれ前記基部の前記制限壁の前記複数のスロットに対応し、その中に装入される複数の制限突起と
を更に有する請求項４に記載の複合漉し器ポット。
【請求項９】
前記フィルター組立体は、前記接続皿の前記装着リング上に装着される輪状の外部枠と、前記外部枠内に装着されたネットとを更に有する請求項７に記載の複合漉し器ポット。
【請求項１０】
前記フィルター組立体は、前記接続皿の前記装着リング上に装着される輪状の外部枠と、前記外部枠内に装着されたネットとを更に有する請求項８に記載の複合漉し器ポット。
【請求項１１】
前記フィルター組立体は、
前記外部枠から延び傾斜した複数の補強スポークであって、前記各補強スポークは末端を有し、前記末端は互いに接続されている複数の補強スポークと、
前記複数の補強スポークの前記末端から横方向に突出形成されたロッドと
を更に有し、
前記フィルター組立体の前記ネットは前記複数の補強スポーク間に装着されている請求項９に記載の複合漉し器ポット。
【請求項１２】
前記フィルター組立体は、
前記外部枠から延び傾斜した複数の補強スポークであって、前記各補強スポークは末端を有し、前記末端は互いに接続されている複数の補強スポークと、
前記複数の補強スポークの前記末端から横方向に突出形成されたロッドと
を更に有し、
前記フィルター組立体の前記ネットは前記複数の補強スポーク間に装着されている請求項１０に記載の複合漉し器ポット。
【請求項１３】
前記容器は、内面と、前記容器の前記内面上に間隔をあけて形成された複数の止め突起とを更に有し、
前記フィルター組立体の前記外部枠は、前記容器の前記止め突起に当接する請求項１１に記載の複合漉し器ポット。
【請求項１４】
前記容器は、内面と、前記容器の前記内面上に間隔をあけて形成された複数の止め突起とを更に有し、
前記フィルター組立体の前記外部枠は、前記容器の前記止め突起に当接する請求項１２に記載の複合漉し器ポット。
【請求項１５】
前記基部の前記外部壁は、前記外部壁の前記末端に間隔をあけて形成された複数の直立突起を更に有する請求項７に記載の複合漉し器ポット。
【請求項１６】
前記基部の前記外部壁は、前記外部壁の前記末端に間隔をあけて形成された複数の直立突起を更に有する請求項８に記載の複合漉し器ポット。
【請求項１７】
前記容器は、
外面と、
上部縁と、
前記上部縁に回動可能に結合され前記容器の前記開放上部を開放することができる蓋と、
前記容器の前記開放上部の近くの前記外面に取付けられた取っ手と
を更に有する請求項７に記載の複合漉し器ポット。
【請求項１８】
前記容器は、
外面と、
上部縁と、
前記上部縁に回動可能に結合され前記容器の前記開放上部を開放することができる蓋と、
前記容器の前記開放上部の近くの前記外面に取付けられた取っ手と
を更に有する請求項８に記載の複合漉し器ポット。
【考案の詳細な説明】
【技術分野】
【０００１】
本考案はポットに関し、特に基部と容器とを異なる材料で形成して結合した複合漉し器ポットに関するものである。
【背景技術】
【０００２】
植物の一部分、例えば、茶やハーブ等の葉、コーヒー等の豆、種、ナッツ、又は果実、バラ等の花、及びその他を単独で、又は組合わせたものを水に浸すことで植物に含まれる成分を水に抽出している。
これらの植物の一部分を浸す時間が長過ぎるとタンニン等が増加して味を損なうので、飲み難くなる。
そこで、ティーポットと漉し器は、植物の一部分と水とを分けるように設計された。
しかし、漉し器を備えたティーポットの使用は無駄とこぼれとの原因となるので、漉し器ポットが設計された。
【０００３】
図７を参照すると、従来の漉し器ポット（７０）は、カップ状の容器（７１）と、漉し器（７２）と、放出バルブ（７３）とを備える。
容器（７１）はプラスチック製で底（７１１）を有する。
漉し器（７２）は容器（７１）の底（７１１）の上に装着されている。
放出バルブ（７３）は容器（７１）の底（７１１）の下にスライド可能に装着されている。
容器（７１）が水で満たされると、放出バルブ（７３）は水圧で閉じられる。
放出バルブ（７３）を開くために、従来の漉し器ポット（７０）はコップまたはマグの上に装着され、放出バルブ（７３）が容器（７１）内にスライドし、浸漬された水が放出バルブ（７３）を通って流れるのを可能にし、植物の一部分を漉し器（７２）で捕捉する。
【０００４】
上記した従来の漉し器ポット（７０）は、プラスチック、ガラス、又はその他でできた透明な容器（７１）を備え、ユーザが浸漬された水の量または状態を見ることができる。
プラスチック製の容器（７１）は耐久性があり、一体成形が可能であるが、長期の使用と湯を入れることとによって、プラスチック製容器（７１）は経年変化し、しみが付いて、汚れて見える。
一方、容器（７１）がガラス製の場合は、ガラス製容器（７１）は、長期の使用と湯を入れることとによって、経年変化し、しみが付くことはない。
しかし、容器（７１）の構造が複雑であるので、ガラス製容器（７１）は、一体成形が困難で、製造コストが高くなる。従って、従来の漉し器ポット（７０）のガラス製容器（７１）は現在存在しない。
【０００５】
本考案は上記した欠点を解消するために成されたものであり、本考案は上記した問題を緩和または解決する複合ポットを提供するものである。
【考案の開示】
【課題を解決するための手段】
【０００６】
本考案の主な目的は、基部と、前記基部上に装着された容器と、前記基部と前記容器とを結合する接続皿と、前記容器内に装着されたフィルター組立体と、前記基部と前記容器との間に装着されたバルブ組立体とを備えた複合漉し器ポットを提供することである。
【０００７】
通常お湯で満たされる容器は、品質と寿命を保つためにガラス製であってよい。
テーブル等の上に置かれる基部は、コストを削減するためにプラスチック製であってよく、容易に損傷しない。従って、漉し器ポットは耐久性があり、長い耐用年数を有する。
【考案の効果】
【０００８】
本考案に係る漉し器ポットは、容器と基部とがそれぞれ別の構造体であり、容器と基部とを所望の異なる材料で形成することができる。
容器の構造が簡単であるから、品質と寿命を保つためにガラスで形成することができる。
また基部は構造が複雑であるから、コストを削減するためにプラスチックで形成することができる。
接続皿は容器と基部とを結合する。
通常、お湯で満たされる容器は、長期の使用と湯を入れることとによって、経年変化してしみが付くが、本考案ではこのようなしみが付くことはなく、しかも基部は容易に損傷することがない。
従って、漉し器ポットは耐久性に優れて長い耐用年数を有している。
【考案を実施するための最良の形態】
【０００９】
以下に図面を参照しながら本考案の最良の形態について説明する。
図１、図２、図４を参照して説明する。
本考案に係る複合漉し器ポットは、基部（１０）と、容器（２０）と、接続皿（３０）と、フィルター組立体（４０）と、バルブ組立体（５０）とを備える。
【００１０】
図３を参照すると、基部（１０）はプラスチック製で、上部リング（１６）と、外部壁（１１）と、内部壁（１０１）と、省略可能な制限壁（１４）と、バルブ台座（１５）とを備える。
【００１１】
上部リング（１６）は、外縁、内縁、下面、及び上面を有する。
【００１２】
外部壁（１１）は、上部リング（１６）の外縁に沿って上部リング（１６）の下面に形成され、末端を有し、複数の直立突起（１１１）を有していてもよい。複数の直立突起（１１１）は外部壁（１１）の末端に間隔をあけて形成され、基部（１０）が平面上に安定に置かれることを可能にする。
【００１３】
内部壁（１０１）は、上部リング（１６）の内縁に沿って上部リング（１６）の下面に形成され、接続リング（１２）とじょうご状底（１３）とを有する。接続リング（１２）は上部リング（１６）の内縁に沿って形成され、内面（１２１）と末端とを有する。内面（１２１）はねじが切られていてもよい。じょうご状底（１３）は接続リング（１２）の末端に沿って形成され、下に行くほど径が狭くなり、内縁と装着孔とを有する。前記装着孔はじょうご状底（１３）を貫通して形成されている。
【００１４】
制限壁（１４）は外部壁（１１）と内部壁（１０１）との間の上部リング（１６）の下面に形成され、複数のスロット（１４１）を有する。複数のスロット（１４１）は制限壁（１４）に間隔をあけて形成されている。各スロット（１４１）は下端と上端とを有する。
【００１５】
バルブ台座（１５）はゴム、プラスチック、又はその他でできていてもよく、内部壁（１０１）のじょうご状底（１３）の内縁に沿って装着され、貫通孔（１５１）を有する。貫通孔（１５１）はバルブ台座（１５）を貫通して形成されている。
【００１６】
容器（２０）はガラス製であってもよく、基部（１０）の上部リング（１６）の上面上に装着され、開放上部と円形底と、内面と、外面と、上部縁と、装着孔（２１）とを有し、ワッシャー（２２、２２Ａ）と、複数の止め突起（２３）と、蓋（２４）と、取っ手（２５）とを有していてもよい。
【００１７】
容器（２０）の前記円形底は、基部（１０）の上部リング（１６）の上面に対応し、この上面上に装着される。
【００１８】
装着孔（２１）は容器（２０）の円形底を貫通して形成されている。
【００１９】
図５を参照すると、ワッシャー（２２、２２Ａ）は円形で容器（２０）の円形底上に装着される。ワッシャー（２２Ａ）は円形外壁と保持凹部とを有する。前記保持凹部はワッシャー（２２Ａ）の円形外壁に形成され、この中に容器（２０）の前記円形底が装入され、容器（２０）の円形底にクッションを与える。
【００２０】
複数の止め突起（２３）は容器（２０）の内面上に間隔をあけて形成されている。
【００２１】
蓋（２４）は容器（２０）の前記上部縁に回動可能に結合され、容器（２０）の開放上部を開放して、水を容器（２０）内に注ぐことができ、また容器（２０）の開放上部を覆って、中の水が汚染されるのを防ぐ。
【００２２】
取っ手（２５）は、容器（２０）の外面の前記開放上部の近くに取付けられ、本漉し器ポットの移動を容易にする。
【００２３】
接続皿（３０）は容器（２０）内で容器（２０）の前記円形底上に装着され、また容器（２０）のワッシャー（２２、２２Ａ）上に装着されてもよく、基部（１０）の内部壁（１０１）の接続リング（１２）に取付けられて、基部（１０）と容器（２０）とを結合する。接続皿（３０）は装着リング（３１）と接続リング（３２）とを有する。
【００２４】
装着リング（３１）は容器（２０）の円形底上に装着され、また容器（２０）のワッシャー（２２、２２Ａ）上に装着されてもよく、内縁を有する。
【００２５】
接続皿（３０）の接続リング（３２）は、接続皿（３０）の装着リング（３１）の内縁に沿って横方向に形成され、外面（３２１）を有する。外面（３２１）は、ねじが切られていてもよく、基部（１０）の内部壁（１０１）の接続リング（１２）の内面（１２１）と係合する。
【００２６】
フィルター組立体（４０）は容器（２０）内で接続皿（３０）上に装着され、外部枠（４１）と、複数の補強スポーク（４２）と、ネット（４３）と、ロッド（４４）とを有する。
【００２７】
外部枠（４１）は輪状であり、接続皿（３０）の装着リング（３１）上に装着され、容器（２０）の止め突起（２３）に当接してもよい。
【００２８】
補強スポーク（４２）は外部枠（４１）から延び、フィルター組立体（４０）を補強し、傾斜している。各補強スポーク（４２）は末端を有する。補強スポーク（４２）の前記末端は他の補強スポーク（４２）の末端と接続されている。
【００２９】
ネット（４３）は外部枠（４１）内に装着され、補強スポーク（４２）間に装着されてもよい。
【００３０】
ロッド（４４）は補強スポーク（４２）の前記末端から横方向に突出形成され、ロッド（４４）を引くことで容易にフィルター組立体（４０）を取り去ることができる。
【００３１】
バルブ組立体（５０）は基部（１０）内に装着され、栓（５２）とバルブディスクとを有する。
【００３２】
栓（５２）はゴム、プラスチック、又はその他でできていてもよく、基部（１０）の内部壁（１０１）のじょうご状底（１３）上に装着され、基部（１０）のバルブ台座（１５）の貫通孔（１５１）を塞ぐことができる。
【００３３】
前記バルブディスクは基部（１０）の外部壁（１１）の末端の内側に装着され、ロッド（５１）と複数の流出口（５３）とを有し、円形の壁（５４）と複数の制限突起（５５）とを有してもよい。
【００３４】
ロッド（５１）は前記バルブディスクから突出形成され、基部（１０）のバルブ台座（１５）の貫通孔（１５１）内に装入され、栓（５２）を押して基部（１０）のバルブ台座（１５）の貫通孔（１５１）の栓を開くことができる。
【００３５】
前記複数の流出口（５３）は前記バルブディスクを貫通し間隔をあけて形成され、ロッド（５１）の周りに配置されている。
【００３６】
円形の壁（５４）は前記バルブディスク上で流出口（５３）の周りに形成され、基部（１０）の制限壁（１４）に隣接して装着され、係合面を有する。円形の壁（５４）の前記係合面は基部（１０）の制限壁（１４）に対応している。
【００３７】
前記複数の制限突起（５５）は円形の壁（５４）の前記係合面上に間隔をあけて形成され、それぞれ基部（１０）の制限壁（１４）のスロット（１４１）に対応し、その中に装入される。従って、前記バルブディスクは基部（１０）に対して上下に可動であり、基部（１０）に対して回転することはできない。
【００３８】
上述した漉し器ポットが平面上に置かれた時、バルブ組立体（５０）のバルブディスクは下にスライドし、バルブ組立体（５０）の前記バルブディスクの制限突起（５５）が、基部（１０）の制限壁（１４）のスロット（１４１）の下端に装着され、バルブ組立体（５０）の栓（５２）が、基部（１０）のバルブ台座（１５）の貫通孔（１５１）を塞ぐ。水を容器（２０）内に注いだ時、水の圧力が栓（５２）を押して、栓（５２）が基部（１０）のバルブ台座（１５）の貫通孔（１５１）をしっかりと塞ぐのを確実にし、水がバルブ台座（１５）の貫通孔（１５１）を通って流れるのを防ぐ。
【００３９】
図６を参照すると、上述した漉し器ポットが容器（６０）上に置かれた時、容器（６０）の末端が前記バルブディスクを押し上げ、バルブディスクのロッド（５１）が栓（５２）を押し、基部（１０）のバルブ台座（１５）の貫通孔（１５１）の栓を開くことができる。従って、容器（２０）内の水が、バルブ台座（１５）の貫通孔（１５１）と、バルブディスクの流出口（５３）とを通って容器（６０）内に流れる。
【００４０】
上述した漉し器ポットは、次の利点を有する。容器（２０）と基部（１０）とはそれぞれ別の構造体であり、容器（２０）と基部（１０）とは所望の異なる材料でできていてよい。容器（２０）は、簡単な構造であり、従って、品質と寿命を保つためにガラスでできていてよい。基部（１０）は複雑な構造であり、従って、コストを削減するためにプラスチックでできていてよい。接続皿（３０）は容器（２０）と基部（１０）とを結合する。通常お湯で満たされる容器（２０）は、長期の使用と湯を入れることとによって、経年変化し、しみが付くということはなく、基部（１０）は容易には損傷しない。従って、本漉し器ポットは耐久性があり、長い耐用年数を有している。
【００４１】
本考案の多数の特徴と利点とを本考案の構造と特徴との細部とともに上記において説明したが、本開示は例示であり、細部、特に部品の形、サイズ、及び配置の点において、変更がなされてもよい。これらの変更は、添付の請求項を記述するのに使用された用語の広義の意味によって定義される本考案の範囲内に入る。
【図面の簡単な説明】
【００４２】
【図１】本考案に係る複合漉し器ポットの第１の実施形態の斜視図である。
【図２】図１の複合漉し器ポットの展開斜視図である。
【図３】図１の複合漉し器ポットの側部分断面図である。
【図４】本考案に係る複合漉し器ポットの第２の実施形態の展開斜視図である。
【図５】図４の複合漉し器ポットの側部分断面図である。
【図６】鎖線で示したびんの上に装着された図１の複合漉し器ポットの使用時側面図である。
【図７】従来の漉し器ポットの断面斜視図である。
【符号の説明】
【００４３】
１０  基部
１１  外部壁
１２  接続リング
１３  じょうご状底
１５  バルブ台座
１６  上部リング
２０  容器
２１  装着孔
３０  接続皿
３１  装着リング
３２  接続リング
４０  フィルター組立体
５０  バルブ組立体
５１  ロッド
５２  栓
５３  流出口
１０１  内部壁
【図１】
0003145712.tif 000003
【図２】
0003145712.tif 000004
【図３】
0003145712.tif 000005
【図４】
0003145712.tif 000006
【図５】
0003145712.tif 000007
【図６】
0003145712.tif 000008
【図７】
0003145712.tif 000009